(57)【特許請求の範囲】
【請求項１】
光ビームを集光して集束光を記録媒体に照射する対物レンズ及び駆動マグネット及びチルト用コイルを保持し、支持ワイヤによってフォーカシング方向及びトラッキング方向へ動作可能に支持されたレンズホルダと、フォーカシングコイル及びトラッキングコイルが巻き回しされた磁気ヨークとチルト用マグネットを備えたベース台とによって、構成された対物レンズ駆動装置において、
前記チルト用コイルは、前記磁気ヨークと前記チルト用マグネットの間に配置されることを特徴とする対物レンズ駆動装置。
【請求項２】
請求項１記載において、
前記チルト用コイルは、前記レンズホルダにおける前記支持ワイヤの延在する方向とは逆側の端部に配置されることを特徴とする対物レンズ駆動装置。
【発明の詳細な説明】
【０００１】
【発明の属する技術分野】
本発明は、記録媒体に光ビームを集束照射することによって、光学的に情報の記録、再生、あるいは書換え等を行うことのできる光ピックアップに装備される対物レンズ駆動装置に関するものである。
【０００２】
【従来の技術】
光ピックアップには、対物レンズを介して記録媒体に集光照射される光ビームの集光位置を、フォーカシング方向及びトラッキング方向に制御するために、対物レンズ駆動装置が装備されている。
【０００３】
従来の対物レンズ駆動装置を、図４を用いて説明する。図４は従来の対物レンズ駆動装置の構成を示す斜視図で、同図において、２１は記録媒体に対して光ビームを集光する対物レンズ、２２は、対物レンズ２１とフォーカシングコイル２５とトラッキングコイル２６とを保持するレンズホルダであり、このレンズホルダ２２は、駆動マグネット２３と固定部材２７と固定基板２８とが搭載されたベース台２９に、支持ワイヤ３０によってフォーカシング方向及びトラッキング方向に動作可能であるように保持されている。
【０００４】
以上のように構成された対物レンズ駆動装置の動作について説明する。フォーカシングコイル２５とトラッキングコイル２６は、２つの駆動マグネット２３の間に配置されている。すなわち、駆動マグネット２３から発生する磁界中にフォーカシングコイル２５及びトラッキングコイル２６が位置しており、このような配置関係においてコイル２５、２６に電流を流すと、レンズホルダ２２はフォーカシング方向及びトラッキング方向に動くことになる。
【０００５】
【発明が解決しようとする課題】
しかしながら、上記構成の対物レンズ駆動装置によれば、フォーカシングとトラッキングの２方向しかレンズホルダを動かすことができないため、傾きをもった光ディスク、あるいは面振れの大きなディスクに対しては、情報の記録再生が不安定になるという問題が発生する。
【０００６】
従来の光ディスク（例えばＣＤ）ではディスクの傾きに対するマージンが多く、チルトは無視できていたが、高密度の光ディスク（例えばＤＶＤ等）は、レーザーの短波長化、対物レンズの高ＮＡ化の影響でスキューに対するマージンが減少するため、対物レンズのチルトやディスクの反り等によるチルトが無視できなくなり、何らかの手法でチルトを補正する必要が生じる。このための手法としては、光ピックアップを搭載しているシャーシ等を傾斜させてチルトの補正を行うことが知られているが、この手法では、シャーシ全体を動かすために構成が大掛かりになり、また、調整のための空間を広くとる必要が生じるため、装置の小型化及び薄型化が困難となっていた。
【０００７】
この問題に対して、例えば特開平１１−３１２３２７号公報に開示されたように、駆動コイルを分割して、それぞれのコイルの推力差によってレンズホルダを傾ける方法、あるいは、特開２０００−２２２７５５号公報に開示されたように、チルトコイルを別付けすることでレンズホルダを傾ける方法がある。
【０００８】
しかしながら、前者の方法においては、駆動用とチルト用に同一のコイルを使用するため、駆動ドライバにばらつきがあった場合に、チルトをさせない通常の動作においてもレンズホルダがチルトしてしまうという問題がある。
【０００９】
また、後者の方法においては、前者のような問題は発生しないものの、通常動作がムービングコイル駆動方式で行われるため、以下の問題が発生する。
【００１０】
つまり、ムービングコイル駆動方式の対物レンズ駆動装置にあっては、駆動マグネットと磁気ヨークがベースに固定されており、フォーカシングコイル及びトラッキングコイルがレンズホルダに固定され、レンズホルダとコイルが一体に動作する。したがって、磁束の中心は常に同位置であり、ここで例えばレンズホルダやコイル等から構成される可動部をトラッキング方向に移動させた場合、可動部の重心はその移動量だけ磁束の中心からずれることになる。この状態でさらにフォーカシング方向に可動部を移動させると、可動部の重心と磁束の中心がずれた状態で可動部が移動することとなり、その結果、可動部に搭載されている対物レンズがチルト（傾斜）してしまうという欠点がある。このチルト量は、フォーカシング及びトラッキングの移動量が増すにつれて増大する。このため、ディスクのチルトに上記理由によるチルトが加わり、結果として、チルトの補正量が大きくなってしまうという問題がある。
【００１１】
本発明は上記課題を鑑みてなされたものであり、ムービングマグネット駆動方式の対物レンズ駆動装置において、簡単な構成で、光ディスクの反りや面振れ等によって発生するチルトの補正が可能であると共に、装置の小型化及び薄型化を可能とすることを目的とする。
【００１２】
【課題を解決するための手段】
上記課題を解決するため、本発明による対物レンズ駆動装置は、光ビームを集光して集束光を記録媒体に照射する対物レンズ及び駆動マグネット及びチルト用コイルを保持し、支持ワイヤによってフォーカシング方向及びトラッキング方向へ動作可能に支持されたレンズホルダと、フォーカシングコイル及びトラッキングコイルが巻き回しされた磁気ヨークとチルト用マグネットを備えたベース台とによって、構成された対物レンズ駆動装置において、前記チルト用コイルは、前記磁気ヨークと前記チルト用マグネットの間に配置される、構成をとる。
【００１３】
さらに、前記チルト用コイルは、前記レンズホルダにおける前記支持ワイヤの延在する方向とは逆側の端部に配置される、構成をとる。
【００１４】
【発明の実施の形態】
以下、本発明の実施の形態を、図面を用いて説明する。図１は、本発明の一実施形態に係る対物レンズ駆動装置の斜視図、図２は、図１の対物レンズ駆動装置を可動部と固定部に分離した分解斜視図、図３は、図１の対物レンズ駆動装置の可動部のチルト動作を示すための説明図である。
【００１５】
図１〜図３において、１は対物レンズ、２は対物レンズ１と駆動マグネット３を保持するレンズホルダであり、チルト用コイル１１はレンズホルダ２の端部に取り付けられている。
【００１６】
５はフォーカシングコイル、６はトラッキングコイルであり、各々磁気ヨーク（図示せず）を内部に備えたコイルボビン４に巻回されており、コイルボビン４はベース台９に固定されている。
【００１７】
１０はレンズホルダ２を支持する支持ワイヤで、固定部材７に固定された固定基板８にその一端が取り付けられている。また、固定部材７は、ベース台９に固定されており、このベース台９には、レンズホルダ２に取付けられたチルト用コイル１１に対応する位置にチルト用マグネット１２が固定されている。
【００１８】
そして、レンズホルダ２は、一端を固定基板８に固定された支持ワイヤ１０の他端によって、フォーカシング方向及びトラッキング方向の中立点に支持されている。
【００１９】
以上のように構成された対物レンズ駆動装置の動作について、以下に説明する。レンズホルダ２は、駆動マグネット３から発生する磁界と、フォーカシングコイル５あるいはトラッキングコイル６に流れる電流との間に生じる電磁力によって動作する。
【００２０】
本発明の対物レンズ駆動装置は、ムービングマグネット駆動方式を採用しており、この駆動方式では、磁気ヨークとフォーカシングコイル５及びトラッキングコイル６がベース台９に固定され、レンズホルダ２と駆動マグネット３が一体に動作する。このため、駆動マグネット３から発せられる磁束の中心と、可動部の重心がずれにくく、前述したような対物レンズのチルトが小さくなり、全体のチルト補正量が少なくなるという利点がある。
【００２１】
また、本実施形態の対物レンズ駆動装置では、レンズホルダ２にチルト用コイル１１を、ベース台９にチルト用マグネット１２を、それぞれ備えたことで、レンズホルダ２を任意にチルトさせることができる。その動作について、以下に説明する。
【００２２】
チルトコイル１１に対して図２中に示す矢印Ａ方向に電流を流した場合、チルト用マグネット１２との電磁力により、チルトコイル１１には、図３中で矢印Ｂ方向で示す力が発生し、レンズホルダ２は、図３中の矢印Ｃ方向にチルトする。
【００２３】
このとき、チルト用コイル１１に流す電流の向きや大きさを変えることにより、レンズホルダ２のチルト方向及びチルト量を変化させることが可能であり、ディスクの反りや面振れ等により発生するチルトを補正することができる。
【００２４】
また、チルト用コイル１１に流す電流量が同じであれば、チルト用コイル１１の間隔とチルト量は比例する関係にある。本実施形態では、チルト用コイル１１を、レンズホルダ２における、支持ワイヤ１０の主体部が延在する方向とは逆側の端部（つまり、レンズホルダ２における、レンズホルダ２にその他端側が固定された支持ワイヤ１０がその一端側に向かって延びる方向とは逆側の端部、すなわち、ここでは、レンズホルダ２における、対物レンズ１の配置側と反対側の端部）に配置している。このため、チルトコイル１１及びベース台９に固定されるチルト用マグネット１２が配置される空間を広くとれるので、チルト用コイル１１の間隔を広く設定することが可能となり、小さな駆動電流でチルト量を充分に確保できるようになっている。
【００２５】
また、本実施形態では、レンズホルダ２を支持する支持ワイヤ１０を、チルト用コイル１１への給電に使用するように構成してある（ワイヤとコイルとの接続の詳細は図示を割愛してある）。このようにすることで、部点点数を増やすこと無く、チルト用コイル１１への給電が可能となる。
【００２６】
【発明の効果】
本発明によれば、対物レンズと駆動マグネットとチルト用コイルをレンズホルダに保持し、フォーカシングコイル及びトラッキングコイルをベース台に保持する、フォーカシングとトラッキングの駆動方式がムービングマグネット駆動方式の対物レンズ駆動装置において、チルト用コイルを磁気ヨークとチルト用マグネットとの間に配置した構成としているため、アクチュエータ動作によるチルトを低減でき、さらに、光ディスクの反りや面振れ等によって発生するチルトを補正することが可能となる。
【００２７】
また、本発明によれば、チルト用コイルは、レンズホルダにおける支持ワイヤの延在する方向とは逆側の端部に配置されているため、チルト用コイルの間隔を広く設定でき、より小さな電流量でレンズホルダを任意にチルトさせることが可能となる。
【図面の簡単な説明】
【図１】本発明の一実施形態に係る対物レンズ駆動装置の斜視図である。
【図２】本発明の一実施形態に係る対物レンズ駆動装置の分解斜視図である。
【図３】本発明の一実施形態に係る対物レンズ駆動装置における、可動部のチルト動作を示す説明図である
【図４】従来の対物レンズ駆動装置の斜視図である。
【符号の説明】
１，２１  対物レンズ
２，２２  レンズホルダ
３，２３  駆動マグネット
４  コイルボビン
５，２５  フォーカシングコイル
６，２６  トラッキングコイル
７，２７  固定部材
８，２８  固定基板
９，２９  ベース台
１０，３０  支持ワイヤ
１１  チルト用コイル
１２  チルト用マグネット
【図１】
0003550547.tif 000002
【図２】
0003550547.tif 000003
【図３】
0003550547.tif 000004
【図４】
0003550547.tif 000005